(57)【要約】【課題】トイレ室の限られたスペースに電気機器を効率的に配置でき、メンテナンスも容易なトイレ用設備を提供する。【解決手段】トイレ室の壁面に沿って設けられる棚板と、前記棚板の下方に設けられるペーパーホルダと、前記棚板の下方において前記ペーパーホルダの背後に設けられる電気機器と、を備えたことを特徴とするトイレ用設備が提供される。【選択図】図１
2008237774.tif 000002
【特許請求の範囲】
【請求項１】
トイレ室の壁面に沿って設けられる棚板と、
前記棚板の下方に設けられるペーパーホルダと、
前記棚板の下方において前記ペーパーホルダの背後に設けられる電気機器と、  
を備えたことを特徴とするトイレ用設備。
【請求項２】
前記ペーパーホルダは、着脱可能とされたことを特徴とする請求項１記載のトイレ用設備。
【請求項３】
前記トイレ室に設けられる温水洗浄便座装置を操作可能としたリモコンをさらに備え、
電気機器は、前記リモコンに電力を供給することを特徴とする請求項１または２に記載のトイレ用設備。
【請求項４】
前記棚板の裏面に固定されるＬ型アングルをさらに備え、
前記電気機器は、前記Ｌ型アングルに固定されることを特徴とする請求項１〜３のいずれか１つに記載のトイレ用設備。
【請求項５】
前記電気機器は、音響を発生させるスピーカを有することを特徴とする請求項１〜４のいずれか１つに記載のトイレ用設備。
【請求項６】
前記電気機器は、芳香を含む空気を放出する放出口を有することを特徴とする請求項１〜５にいずれか１つに記載の電トイレ用設備。
【請求項７】
前記電気機器は、照明用光源を有することを特徴とする請求項１〜６のいずれか１つに記載のトイレ用設備。
【発明の詳細な説明】
【技術分野】
【０００１】
本発明は、トイレ用設備に関し、具体的には、トイレ室に設置され、棚板と、ペーパーホルダと、電源などの電気機器と、を有するトイレ用設備に関する。
【背景技術】
【０００２】
人間の生活にとってトイレは切り離すことができない存在であり、「暖房式便座」や「温水洗浄便座装置」などの革新的な機構が付加されるに伴って、利便性や快適性が向上してきた。  
今後、トイレ室は、さらに快適で心地よい空間とすることが望ましく、例えば、室内を暖房する電気機器や、芳香を発生させる電気機器、また、間接照明機器や、音響を発生する電気機器（例えば特許文献１）などを設ける技術が開示されている。
【特許文献１】特開２００２−１４３０３９号公報
【発明の開示】
【発明が解決しようとする課題】
【０００３】
しかし、トイレ室のスペースは限られており、これら電気機器の配置には工夫が必要である。またさらに、これらの電気機器を設けるにあたって、その電源や制御用の電気機器も必要となる場合があり、この電源や制御用の電気機器の配置についても同様の工夫が必要とされる
本発明は、かかる課題の認識に基づいてなされたものであり、トイレ室の限られたスペースに電気機器を効率的に配置でき、メンテナンスも容易なトイレ用設備を提供する。
【課題を解決するための手段】
【０００４】
本発明の一態様によれば、トイレ室の壁面に沿って設けられる棚板と、前記棚板の下方に設けられるペーパーホルダと、前記棚板の下方において前記ペーパーホルダの背後に設けられる電気機器と、を備えたことを特徴とするトイレ用設備が提供される。
【発明の効果】
【０００５】
本発明によれば、トイレ室の限られたスペースに電気機器を効率的に配置でき、メンテナンスも容易なトイレ用設備が提供される。
【発明を実施するための最良の形態】
【０００６】
以下、図面を参照しつつ、本発明の実施の形態について説明をする。なお、各図面中、同様の構成要素には同一の符号を付す。
【０００７】
図１は、本発明の実施の形態に係るトイレ用設備が設置されたトイレ室を例示する模式図である。  
また、図２は、本実施形態のトイレ用設備を例示する模式斜視図である。
【０００８】
図１に例示したトイレ室９００には、第１の方向Ｘに延在した棚板１００と、その下に取り付けられたリモコン２００と、が設けられている。リモコン２００は、例えば、トイレ室９００に設けられた便器８００の便蓋や便座を電動により開閉したり、また温水洗浄便座装置８１０を操作するために用いることができる。ここで、温水洗浄便座装置８１０は、便座８０２に座った使用者の「おしり」などに向けて水を噴射し洗浄可能とした装置である。またさらに、リモコン２００は、図示しない照明機器、音楽や効果音などを発生する音響機器、テレビやラジオなどの機器、暖房などの空調機器などを操作するために用いることも可能である。
【０００９】
リモコン２００の下には、トイレットペーパー５９０を保持するペーパーホルダ５００が設けられている。また、棚板１００の下には、キャビネット６００、６０２などを設置してもよい。また、棚板１００には、水栓１７０を付設した手洗いボウル１６０を設けてもよい。また、トイレ室９００の壁面に鏡９１０を設けて、ドレッサーとしての機能を付与してもよい。
【００１０】
棚板１００は、天板１１０と、その前縁に設けられた幕板１２０と、を有する。リモコン２００は、天板１１０の下に設けられ、幕板１２０に設けられた開口（あるいは切り欠き）を介してその操作面が露出している。
【００１１】
そして、図２に表したように、本実施形態においては、棚板１００の下のペーパーホルダ５００の背後に、電気機器６１０が設けられている。電気機器６１０は、例えば、リモコン２００や、トイレ室９００に設置される照明装置、音響装置、暖房装置、空調装置などに電力を供給する電源である。また、電気機器６１０は、例えば、これら照明装置、音響装置、暖房装置、空調装置などを制御する制御部であってもよい。あるいは、電気機器６１０は、これら照明装置、音響装置、暖房装置、空調装置などのいずれかであってもよい。
【００１２】
本実施形態によれば、ペーパーホルダ５００の背後に電気機器６１０を配置することにより、この空間を有効に活用し、使用者に圧迫感を与えることもない。またトイレ室９００の見栄えをすっきりとさせ、美観を損ねることもない。また、ペーパーホルダ５００の背後に配置することで、水などがかかりにくく、電子部品や可動部を有する電気機器の故障や動作不良も防ぐことができる。また、ホコリや汚れも付着しにくい。またさらに、ペーパーホルダ５００の背後でトイレ室９００の床面から浮かせて配置することにより、便器８００から水が万が一溢れでたような場合でも、電気機器６１０の冠水を防止できる。
【００１３】
図３は、本実施形態のトイレ用設備の取付構造を例示する模式断面図である。  
棚板１００の下には、リモコン２００が取り付けられている。そして、リモコン２００の前部の下にはペーパーホルダ５００が固定ピース５１０により固定されている。一方、ペーパーホルダ５００の背後において、棚板１００の裏面にＬ型アングル３５０がネジ３５２により取り付けられている。Ｌ型アングル３５０にはネジ孔３５１が設けられている。電気機器６１０は、Ｌ型アングル３５０に設けられたネジ孔３５１にネジ３５３を締め付けることにより取り付けられている。
【００１４】
このようにすれば、トイレ室９００の壁面に電気機器６１０を取り付ける必要がなく、例えばトイレ室９００の壁面の強度が十分でないような場合でも電気機器６１０を確実に取り付けることができる。  
ただし、トイレ室９００の壁面の強度が得られる場合には、電気機器６１０を壁面に取り付けてもよい。
【００１５】
また一方、本実施形態においては、ペーパーホルダ５００は着脱可能とすることができる。  
図４は、ペーパーホルダ５００の取付を表す組立図である。  
また、図５は、固定ピースの拡大図である。  
リモコン２００は、例えば筐体３００に収容可能とすることができる。この場合、筐体３００は、第１の方向Ｘとは略直交する第２の方向Ｙに沿った１条の固定部において棚板１００に固定されている。すなわち、筐体３００は、その上面の左右両端に一対の凸部３２４を有し、また中央付近に一対のガイド３３０を有する。一方、棚板１００の裏面には、レール３４０がネジ３４２により固定される。棚板１００の裏面にレール３４０を取り付け、正面側からガイド３３０を嵌合させて筐体３００を挿入することにより、筐体３００を棚板１００に取り付けることができる。
【００１６】
一方、ペーパーホルダ５００は、その取付用孔５１２に固定ピース５１０の先端を挿入し、さらに筐体３００に設けられた取付用孔（図示せず）に固定ピース５１０の先端を挿入して固定ピース５１０を９０度ほど回転させ締め付ける。すると、固定ピース５１０の拡張部５１０Ｐが筐体３００に設けられた取付用孔の中で係止され、筐体３００に固定することができる。なお、棚板１００の天板１１０は、化粧板として表層を形成する上板１１２と、補強のための下板１１４と、を積層させた構造としてもよい。
【００１７】
ペーパーホルダ５００を取り外す際には、ペーパー５９０を取り外した後に、固定ピース５１０を反対方向に９０度ほど回転させる。すると、固定ピース５１０の拡張部５１０Ｐの係止が解除され、固定ピース５１０を筐体３００に設けられた取付用孔から抜き取ることができる。このようにして、ペーパーホルダ５００を棚板１００の下から取り外すことができる。
【００１８】
本実施形態によれば、まずペーパーホルダ５００からペーパー５９０を取り外すことによりその背後に設置された電気機器６１０の一部が露出し、例えば、電気機器６１０の修理や交換などのメンテナンス作業を容易に実行することができる。またさらに、上述の如くペーパーホルダ５００を取り外すことにより、その背後に設置された電気機器６１０の全体を露出させ、さらに容易にメンテナンス作業を実行できる。
【００１９】
図６は、トイレ室におけるトイレ用設備の配置関係を例示する模式平面図である。  
ペーパーホルダ５００は、通常は、便器８００の後方側ではなく、便器８００の前端８００Ｐの前後にあわせて配置される。つまり、ペーパーホルダ５００は、便器８００の後方脇の狭いスペースに配置されることはない。本実施形態によれば、このような位置に配置されるペーパーホルダ５００の背後に電気機器６１０を設けることにより、そのメンテナンス作業の際にも、便器８００の後方脇の狭いスペースに作業者が手を伸ばす必要はなく、便器８００の前端８００Ｐの前後の広いスペースにおいて、楽に作業することができる。
【００２０】
図７は、電気機器６１０を備えたトイレシステムを例示するブロック図である。  
トイレ室９００には、温水洗浄便座装置８１０の他に、例えば電気温水器ユニット６１５、サウンドユニット６２０、照明ユニット６３０、芳香ユニット６４０、室内暖房ユニット７００などを設けることができる。これらのユニットの動作は、リモコン２００により制御することができる。そして、ペーパーホルダ５００の背後には、これらユニット及びリモコン２００に電力を供給する電源を内蔵した電気機器６１０を設けることができる。
【００２１】
なお、図７に例示したシステムにおいては、温水洗浄便座装置８１０からリモコン２００への人体検知情報の送信は電波により実行される。一方、リモコン２００から温水洗浄便座装置８１０やその他の各ユニットへの制御信号の送信は、赤外線により実行される。このように異なる媒体を用いることで、人体検知情報と制御信号とが干渉することを防止できる。また、人体検知情報を電波で送信することにより、例えば、温水洗浄便座装置８１０からみてカウンターの奥にリモコン２００の電波受信部２３０が設置されたような場合でも、人体検知情報を確実に伝送できる。
【００２２】
図８は、電源を内蔵した電気機器６１０を例示する模式図である。  
電気機器６１０には、上述した電気温水器ユニット６１５などに電力を供給するためのコンセント６１２が設けられている。またここで、温水洗浄便座装置８１０や電気温水器ユニット６１５、あるは室内暖房ユニット７００などのトイレ室９００に設置される各種の電気装置に供給する電力量を電気機器６１０において統合管理してもよい。すなわち、通常の電気配線においては、一回線が１００ボルトで１５アンペアとされる。従って、トイレ室９００に供給される一回線の電力量がこの上限を超えないように、電気機器６１０において管理し、電気機器６１０から各ユニットに供給する電力量をコントロールすることができる。例えば、温水洗浄便座装置８１０において温水を吐水している間は、電気温水器ユニット６１５や室内暖房ユニット７００に供給する電力を制限し、合計で１００ボルトで１５アンペアを越えないようにすることができる。
【００２３】
図９は、電気機器６１０のもうひとつの具体例を表す模式図である。  
本具体例においては、電気機器６１０に、サウンドユニット６２０と照明ユニット６３０と芳香ユニット６４０が内蔵されている。すなわち、電気機器６１０の筐体には、スピーカ６２２と、照明用光源６３２と、芳香を含む空気を放出する放出口６４２が設けられている。
【００２４】
ペーパーホルダ５００の背後にスピーカ６２２を配置しても、スピーカ６２２からの音響はペーパーホルダ５００の周囲の空間から放出され、便器８００の前に立っている使用者や便座８０２に座った状態の使用者に対して心地よいサウンドを提供することができる。
【００２５】
また、ペーパーホルダ５００の背後の隠れたスペースに設けた放出口６４２から芳香を含む空気を放出させることにより、芳香を効果的に拡散させることができる。すなわち、ペーパーホルダ５００の背後から放出された芳香は、ペーパーホルダ５００によって拡散が適度に抑制されて、トイレ室９００の全体に広がる。使用者はペーパーホルダ５００の近傍においてトイレを使用するので、使用者に対して効率的に芳香を感じさせることができる。またさらに、ペーパーホルダ５００の背後に放出口６４２を設けることで、芳香成分がペーパー５９０に付着し、使用者がペーパー５９０を使用する時にも芳香を感ずることができるという効果も得られる。
【００２６】
また、ペーパーホルダ５００の背後に照明用光源６３２を設けた場合、光はペーパーホルダ５００の周囲から漏れ出るようになり、間接照明の効果が得られる。  
図１０は、照明用光源６３２から光Ｌが放射されるようすを例示する模式図である。  
照明用光源６３２は、符号Ｌで表したように、トイレ室９００の床面に向けて斜め下方に光を放射させることができる。例えば、夜間に起きた使用者がトイレを利用する時に、トイレ室９００の天井の照明は明るすぎて眩しく感じる場合が多い。このような場合に、ペーパーホルダ５００の背後からの間接照明により床面を照らすことで、眩しさを感じさせず、ペーパーホルダ５００や便器８００などの位置も十分に視認可能とすることができる。
【００２７】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。例えば、電気機器６１０は、電源や前述した各ユニットに限定されず、その他、各種の電気回路や電気部品などを内蔵することができる。
【００２８】
また、筐体３００を設けず、その内部に収容されるリモコン２００などの電気機器を各実施例において筐体３００と同様の方法で取り付けたものも本発明の範囲に包含される。
【００２９】
また、棚板や筐体、リモコン、ブラケット、ガイド、レール、取付具などの各要素の形状、寸法、材質、配置などは、例示したものに限定されるわけではなく適宜変更することができる。  
また、前述した各実施例が備える各要素は、可能な限りにおいて組み合わせることができ、これらを組み合わせたものも本発明の特徴を含む限り本発明の範囲に包含される。
【図面の簡単な説明】
【００３０】
【図１】本発明の実施の形態に係るトイレ用設備が設置されたトイレ室を例示する模式図である。
【図２】本実施形態のトイレ用設備を例示する模式斜視図である。
【図３】本実施形態のトイレ用設備の取付構造を例示する模式断面図である。
【図４】ペーパーホルダ５００の取付を表す組立図である。
【図５】固定ピースの拡大図である。
【図６】トイレ室におけるトイレ用設備の配置関係を例示する模式平面図である。
【図７】電気機器６１０を備えたトイレシステムを例示するブロック図である。
【図８】電源を内蔵した電気機器６１０を例示する模式図である。
【図９】電気機器６１０のもうひとつの具体例を表す模式図である。
【図１０】照明用光源６３２から光Ｌが放射されるようすを例示する模式図である。
【符号の説明】
【００３１】
１００ 棚板、１１０ 天板、１１２ 上板、１１４ 下板、１２０ 幕板、１６０ ボウル、１７０ 水栓、２００ リモコン、２３０ 電波受信部、３００ 筐体、３２４ 凸部、３３０ ガイド、３４０ レール、３４２ ネジ、３５０ Ｌ型アングル、３５１ ネジ孔、３５２、３５３ ネジ、５００ ペーパーホルダ、５１０ 固定ピース、５１０Ｐ 拡張部、５１２ 取付用孔、５９０ トイレットペーパー、６００ キャビネット、６１０ 電気機器、６１２ コンセント、６１５ 電気温水器ユニット、６２０ サウンドユニット、６２２ スピーカ、６３０ 照明ユニット、６３２ 照明用光源、６４０ 芳香ユニット、６４２ 放出口、７００ 室内暖房ユニット、８００ 便器、８００Ｐ 前端、８０２ 便座、８１０ 温水洗浄便座装置、９００ トイレ室、９１０ 鏡
【図１】
2008237774.tif 000003
【図２】
2008237774.tif 000004
【図３】
2008237774.tif 000005
【図４】
2008237774.tif 000006
【図５】
2008237774.tif 000007
【図６】
2008237774.tif 000008
【図７】
2008237774.tif 000009
【図８】
2008237774.tif 000010
【図９】
2008237774.tif 000011
【図１０】
2008237774.tif 000012
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
トイレ室の壁面に沿って設けられる棚板と、
前記棚板の下方に設けられるペーパーホルダと、
前記棚板の下方において前記ペーパーホルダの背後に設けられる電気機器と、  
を備え、
前記ペーパーホルダは、固定ピースを挿入し回転して係止することにより前記棚体の下方に固定され、前記固定ピースを回転して係止を解除することにより前記棚板の下方から取り外すことができることを特徴とするトイレ用設備。
【請求項２】
前記トイレ室に設けられる温水洗浄便座装置を操作可能としたリモコンをさらに備え、
電気機器は、前記リモコンに電力を供給することを特徴とする請求項１記載のトイレ用設備。
【請求項３】
前記棚板の裏面に固定されるＬ型アングルをさらに備え、
前記電気機器は、前記Ｌ型アングルに固定されることを特徴とする請求項１または２に記載のトイレ用設備。
【請求項４】
前記電気機器は、音響を発生させるスピーカを有することを特徴とする請求項１〜３のいずれか１つに記載のトイレ用設備。
【請求項５】
前記電気機器は、芳香を含む空気を放出する放出口を有することを特徴とする請求項１〜４にいずれか１つに記載の電トイレ用設備。
【請求項６】
前記電気機器は、照明用光源を有することを特徴とする請求項１〜５のいずれか１つに記載のトイレ用設備。
【手続補正２】
【補正対象書類名】明細書
【補正対象項目名】０００４
【補正方法】変更
【補正の内容】
【０００４】
本発明の一態様によれば、トイレ室の壁面に沿って設けられる棚板と、前記棚板の下方に設けられるペーパーホルダと、前記棚板の下方において前記ペーパーホルダの背後に設けられる電気機器と、を備え、前記ペーパーホルダは、固定ピースを挿入し回転して係止することにより前記棚体の下方に固定され、前記固定ピースを回転して係止を解除することにより前記棚板の下方から取り外すことができることを特徴とするトイレ用設備が提供される。
【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
トイレ室の壁面に沿って設けられる棚板と、
前記棚板の下方に設けられ、前記トイレ室に設けられる温水洗浄便座装置を操作可能としたリモコンと、
前記リモコンの下方に設けられるペーパーホルダと、
前記棚板の下方且つ前記リモコンの後方において前記リモコンに隣接して前記ペーパーホルダの背後に設けられ、前記ペーパーホルダとは別体の電気機器と、  
を備えたことを特徴とするトイレ用設備。
【請求項２】
前記ペーパーホルダは、着脱可能とされたことを特徴とする請求項１記載のトイレ用設備。
【請求項３】
前記電気機器は、前記リモコンに電力を供給することを特徴とする請求項１または２に記載のトイレ用設備。
【請求項４】
前記棚板の裏面に固定されるＬ型アングルをさらに備え、
前記電気機器は、前記Ｌ型アングルに固定されることを特徴とする請求項１〜３のいずれか１つに記載のトイレ用設備。
【請求項５】
前記電気機器は、音響を発生させるスピーカを有することを特徴とする請求項１〜４のいずれか１つに記載のトイレ用設備。
【請求項６】
前記電気機器は、芳香を含む空気を放出する放出口を有することを特徴とする請求項１〜５にいずれか１つに記載の電トイレ用設備。
【請求項７】
前記電気機器は、照明用光源を有することを特徴とする請求項１〜６のいずれか１つに記載のトイレ用設備。
【手続補正２】
【補正対象書類名】明細書
【補正対象項目名】０００４
【補正方法】変更
【補正の内容】
【０００４】
本発明の一態様によれば、トイレ室の壁面に沿って設けられる棚板と、前記棚板の下方に設けられ、前記トイレ室に設けられる温水洗浄便座装置を操作可能としたリモコンと、前記リモコンの下方に設けられるペーパーホルダと、前記棚板の下方且つ前記リモコンの後方において前記リモコンに隣接して前記ペーパーホルダの背後に設けられ、前記ペーパーホルダとは別体の電気機器と、を備えたことを特徴とするトイレ用設備が提供される。